(57)【要約】 【課題】  組付け性の向上が可能な電気接続箱を提供する。【解決手段】  分岐路部１２と電源分配部１３との端縁同士を突き合わせて全体が略Ｌ字状に組合わされてなる回路体１１を、ケーシング１５で包囲してなる電気接続箱１０において、電源分配部１３の周囲を包囲するサイドケース１７は、組付け時に接続端子３１Ｖ或いは垂直外部端子３５Ｖをハウジング３６に挿入させることで、電源分配部１３を正規位置へ案内することができるので、電気接続箱１０の組付け性が向上する。【選択図】  図８
2006187118.tif 000002
【特許請求の範囲】
【請求項１】
制御用回路基板と、この制御用回路基板上に実装されるスイッチングデバイスと、絶縁層を介して前記制御用回路基板にそれぞれ積層される複数本のバスバーとを備え、前記スイッチングデバイスを動作させることにより前記バスバーに通電させるようにするものであって外部との導通接続を行う接続部を有する回路構成体を備えた電気接続箱において、
前記回路構成体と前記接続部とを被覆する枠体を備え、
前記枠体には、前記接続部の組付けによって前記回路構成体の正規位置への案内が可能な案内手段が設けられていることを特徴とする電気接続箱。
【請求項２】
前記接続部が前記枠体に一体に形成されたハウジング内にタブ状で相手側端子と嵌合可能なオス端子を収容してなる構成であると共に、
前記枠体には前記端子金具を前記ハウジング内へ挿通させる挿通孔が設けられると共に、
前記挿通孔の開口縁部には前記端子金具を前記挿通孔へ案内するテーパ面が形成されていることを特徴とする請求項１に記載の電気接続箱。
【請求項３】
前記挿通孔が、その内壁に当接することで前記オス端子の挿入方向に沿った方向のみ許容し、挿入方向に垂直な方向への移動を規制する案内通路部を備えることを特徴とする請求項２に記載の電気接続箱。
【請求項４】
前記オス端子が回路構成体のバスバーの先端部を制御回路基板に対して垂直に曲げ起こして延出されていることを特徴とする請求項２又は請求項３に記載の電気接続箱。
【請求項５】
前記回路構成体が、絶縁基板に複数本のバスバーを配設してなる第２回路構成体と接続されるものであると共に、
前記枠体が前記第２回路構成体を前記回路構成体と垂直に保持する保持手段を備えていることを特徴とする請求項１から請求項４のいずれかに記載の電気接続箱。
【発明の詳細な説明】
【技術分野】
【０００１】
本発明は、電力供給を行う電気接続箱に関する。
【背景技術】
【０００２】
従来の電気接続箱として例えば特許文献１に示すものがある。このものは、例えば、自動車に搭載されるものであって、車載バッテリー等の電源と各電子装置との間に介されて各電子装置への電源供給の制御を行なう電力分配器として用いられるものである。
この種の電気接続箱は、平面状に配索された複数本のバスバーと、絶縁層を介してこれらバスバーへ積層した制御用回路基板と、この制御用回路基板に実装される半導体スイッチングデバイスとを備えた回路構成体を備えており、当該半導体スイッチングデバイスを動作させることによって各バスバーに通電させて各電子装置への電力供給の制御を行なうようになっている。
【特許文献１】特開２００３−１６４０３９公報
【発明の開示】
【発明が解決しようとする課題】
【０００３】
ところで、自動車の搭載品は小型化・軽量化の要求が高く、このような要求を満たすために、搭載品の共通化・共用化が図られると共に、搭載品の構成部品についても複数の部品を一体に形成する等共通化・共用化が行われている。
しかしながら、上記のように搭載品の部品を共通化・共用化していくと、構造が複雑になり、組付け性に悪影響を及ぼす恐れがあった。
本発明は上記のような事情に基づいて完成されたものであって、組付け性の向上が可能な電気接続箱を提供することを目的とする。
【課題を解決するための手段】
【０００４】
上記の目的を達成するための手段として、請求項１の発明は、制御用回路基板と、この制御用回路基板上に実装されるスイッチングデバイスと、絶縁層を介して前記制御用回路基板にそれぞれ積層される複数本のバスバーとを備え、前記スイッチングデバイスを動作させることにより前記バスバーに通電させるようにするものであって外部との導通接続を行う接続部を有する回路構成体を備えた電気接続箱において、前記回路構成体と前記接続部とを被覆する枠体を備え、前記枠体には、前記接続部の組付けによって前記回路構成体の正規位置への案内が可能な案内手段が設けられているところに特徴を有する。
【０００５】
請求項２の発明は、請求項１に記載のものにおいて、前記接続部が前記枠体に一体に形成されたハウジング内にタブ状で相手側端子と嵌合可能なオス端子を収容してなる構成であると共に、前記枠体には前記端子金具を前記ハウジング内へ挿通させる挿通孔が設けられると共に、前記挿通孔の開口縁部には前記端子金具を前記挿通孔へ案内するテーパ面が形成されているところに特徴を有する。
【０００６】
請求項３の発明は、請求項２に記載のものにおいて、前記挿通孔が、その内壁に当接することで前記オス端子の挿入方向に沿った方向のみ許容し、挿入方向に垂直な方向への移動を規制する案内通路部を備えるところに特徴を有する。
【０００７】
請求項４の発明は、請求項２又は請求項３のいずれかに記載のものにおいて、前記オス端子が回路構成体のバスバーの先端部を制御回路基板に対して垂直に曲げ起こして延出されているところに特徴を有する。
【０００８】
請求項５の発明は、請求項１から請求項４のいずれかに記載のものにおいて、前記回路構成体が、絶縁基板に複数本のバスバーを配設してなる第２回路構成体と接続されるものであると共に、前記枠体が前記第２回路構成体を前記回路構成体と垂直に保持する保持手段を備えているところに特徴を有する。
【発明の効果】
【０００９】
＜請求項１の発明＞
回路構成体に対して枠体を組付ける場合に、接続部に枠体を組付けることで、回路構成体を正規位置へ案内することができるので、電気接続箱の組付け性が向上する。
【００１０】
＜請求項２の発明＞
枠体が、開口縁部にテーパ面が形成された挿通孔を備えるので、枠体の組付け時にオス端子を挿通孔へ挿入し易くなり、組付け性がより向上する。
【００１１】
＜請求項３の発明＞
接続部の組付けにおいて、オス端子が挿通孔の案内通路部を通過する際には挿入方向に垂直な方向への移動を規制する。これにより、回路構成体全体も組付け時に挿入方向に垂直な方向への移動が規制されるので、回路構成体を正規位置に確実に案内できる。
【００１２】
＜請求項４の発明＞
オス端子が制御回路基板に対して垂直な方向に延出されているので、オス端子の嵌合時にバスバーの制御回路基板側に嵌合力等が作用して変形することを規制できるので、電気接続箱の信頼性が向上する。
【００１３】
＜請求項５の発明＞
枠体が回路構成体と第２回路構成体とを互いに垂直に保持するので、回路構成体の平面方向の拡大を防いで配置スペースを効率的に使用することが可能となる。
【発明を実施するための最良の形態】
【００１４】
＜実施形態１＞
本発明の実施形態１について図１ないし図１２を参照して説明する。本実施形態の電気接続箱１０は、例えば、車載バッテリー等の電源と各電子装置等の負荷との間に介されて各電子装置への電源供給の制御を行なう電力分配器として用いられるものである。
電気接続箱１０は、図１に示すように、いずれも略平板状に形成された分岐路部１２と電源分配部１３とが互いに垂直になるように端縁同士を突き合わせて全体として略Ｌ字状となるように組合わされてなる回路体１１を、ケーシング１５で包囲してなるものであり、電気接続箱１０の上面には外装品取付部１４が形成されている。
【００１５】
ケーシング１５は、メインケース１６にサイドケース１７及び上側ケース１８を組付ける構成となっている（図１参照）。
メインケース１６には、図１に示すように、上方に開口する上側収容部１６Ｈと一側方（図１の左奥方）に開口する側方収容部１６Ｖとが形成されている。上側収容部１６Ｈは、分岐路部１２を収容してから上側ケース１８が組み付けられることで、その開口部を塞ぐようになっている。また、上側収容部１６Ｈは、その底面外側に外部機器との接続を行うコネクタハウジング１６Ｃが形成されている。
一方、側方収容部１６Ｖは電源分配部１３を組付けたサイドケース１７が組み付けられることでその開口部を塞ぐようになっている。また、側方収容部１６Ｖの開口部と対向する側の壁面には電源分配部１３に形成された制御用コネクタ３７を外部に露出させるための挿通孔１６Ａが穿設されている。
また、上側ケース１８の上面には、外装品挿入孔１８Ａが穿設されており、この外装品挿入孔１８Ａ内には分岐路部１２或いは電源分配部１３から延出された二又端子が挿入されることで外装品取付部１４が構成される。この外装品取付部１４の外装品挿入孔１８Ａに外装品（本実施形態ではヒューズＨ又はヒュージブルリンクＦ）が組み付けられると、外装品の端子が二又端子に挟持されることで導通接続が図られるようになっている。
【００１６】
分岐路部１２は、図３に示すように、金属平板を打ち抜いて所定回路形状に形成された複数本のバスバー２１からなるバスバー回路２２を絶縁板２５を介して上下に積層してなるものである。
バスバー２１の端部は、他の回路や電子部品等に接続する接続部２３が形成されているが、バスバー回路２２の回路構成に応じて垂直に曲げ起こした垂直接続部２３Ｖと水平に延出させた水平接続部２３Ｈとが選択的に形成されている。
絶縁板２５は上下のバスバー回路２２の絶縁を行うと共に、所定箇所に貫通孔２６が形成されており、この貫通孔２６を介して垂直接続部２３Ｖが分岐路部１２の表面或いは裏面に突出するようになっている。尚、図３には、４枚の絶縁板２５が上下に並べて記載されているが、一番上側に記載された絶縁板２５以外は貫通孔２６が省略して記載されている。
また、本実施形態では、分岐路部１２の上面側に突出する垂直接続部２３Ｖの先端は二又状に形成されて、ヒューズＨ又はヒュージブルリンクＦの端子を挟持可能となっている。また分岐路部１２の下面側に突出する垂直接続部２３Ｖの先端部はタブ状になっていて、メインケース１６の上側収容部１６Ｈに形成されたコネクタハウジング１６Ｃ（図１０，１１参照）内部に延出することでオス端子を構成するようになっている。
水平接続部２３Ｈは分岐路部１２と電源分配部１３との突き合せ部分の一所（図３の左奥方）に並列するように配設されており、この水平接続部２３Ｈが電源分配部１３との接続を行うようになっている。
【００１７】
電源分配部１３は、図４，５に示すように、金属平板を打ち抜いて複数本の第１バスバー３１からなる所定回路形状に形成されたバスバー回路３２と、所定の印刷回路が形成された回路基板３３とを接着したものの回路基板３３上面側に、リレー又は半導体スイッチ等のスイッチングデバイス３４及びこれらの制御用の電子部品等（図示なし）を実装してなるものである。
電源分配部１３の図６における左手前側の角部には、主に回路基板３３と外部機器との接続を行う制御用コネクタ３７が配設されている。この制御用コネクタ３７は略角筒形状のハウジング内にタブ状のオス端子を配するもので、オス端子は回路基板３３に形成されたスルーホール３３Ｈにはんだ付けされることで回路基板３３との導通接続が行われるものである。
また、電源分配部１３の図５における奥方の一辺部には電力用導電路の外部との接続を行う電力用端子３１Ｗが配設されている。電力用端子３１Ｗは第１バスバー３１の端部の延出部分を電源分配部１３の表面に対して垂直に曲げ起こして形成されたものである。図示左側の電力用端子３１Ｗはその先端が二又状に形成されたヒューズ端子３１Ｈであり、その二又状の先端部分は電源分配部１３の表面と水平な方向に屈曲されている。また、ヒューズ端子３１Ｈの右側の電力用端子３１Ｗは、その先端がタブ状に形成されたものであり、分岐路部１２に接続される接続端子３１Ｖをなしている。
【００１８】
さらに、電源分配部１３には、図５に示すように、その表面に第２バスバー３５が配索されている。
第２バスバー３５は、金属平板からなる厚みよりも幅広な表面を有する帯状の導電路で、電源分配部１３においてスイッチングデバイス３４が実装されている側の面（実装面）に配設されている。第２バスバー３５は、電源分配部１３において各スイッチングデバイス３４等回路基板３３側における所定の接続箇所から、図５の右奥方に向かって適宜周回させて形成されている。また、第２バスバー３５は接着剤（例えばシリコーン系接着剤）又は接着シート（例えば絶縁シートの両面に接着剤を塗布して接着性をもたせたもの）により回路基板３３上に固定されているが、この接着剤又は接着シートが第２バスバー３５と回路基板３３との間の絶縁層となり、回路基板３３との短絡を防止する構成となっている。
【００１９】
第２バスバー３５の回路基板３３側に接続される先端部分は、図４、５に示すように、実装面上を周回する箇所よりも回路基板３３側に向けて段差が生じるように屈曲されて段差接続部３５Ｄが形成されている。この段差接続部３５Ｄは回路基板３３に貫通形成された収容孔３３Ａを介してバスバー回路３２に（はんだ付け等によって）接続可能となっている。
【００２０】
一方、第２バスバーの段差接続部３５Ｄと反対側の（図５の右奥方に配された）端部は電源分配部１３の回路面に対し、垂直上方に曲げ起こされた垂直外部端子３５Ｖが形成されている。この垂直外部端子３５Ｖは第１バスバー３１の電力用端子３１の接続端子３１Ｖと平行となるように配設されていると共に、後述するようにサイドケース１７に一体形成されたハウジング３６内に突出して分岐路部１２との接続用のオス端子となっている。
【００２１】
また、第２バスバー３５には、回路基板３３上を周回する箇所の一部について、その幅広な表面を電源分配部１３の表面に対して垂直となるように形成された衝立部３５Ｃを有するものも設けられている。
ここで、電源分配部１３上にはスイッチングデバイス３４を配設するためのある程度の高さを有する空間が存在しているが、本実施形態のように衝立部３５Ｃを有する第２バスバー３５を用いることによりその空間を効率よく利用して、第２バスバー３５を配策することができるようになっている。
より詳細には、第２バスバー３５を設けることで、バスバー回路３２の面積を拡大することなく電力用回路を増設することができるが、その一方、第２バスバー３５を回路基板３３上に配設するため、回路基板３３上の実装面積が制限される。これに対して、本実施形態の第２バスバーのように回路基板３３に対して垂直をなす衝立部３５Ｃを回路基板３３の上面側に配索させることにより、回路基板３３上方に元来必要なスイッチングデバイス３４等を配設するための空間を利用して第２バスバー３５を配索し、回路基板３３上の実装面積を確保できるので、電源分配部１３中の空間を効率よく利用して、小型化・高密度化を図ることが可能となる。
【００２２】
尚、本実施形態では、詳細には図示しないが、電源分配部１３において段差接続部３５Ｄをスイッチングデバイス３４の端子に直接接続させる場合には、この段差接続部３５Ｄに対応する個所において、回路基板３３とバスバー回路３２との双方に亘って貫通する収容孔３３Ａを穿設し、この収容孔３３Ａに段差接続部３５Ｄを収容させる。それと共に、段差接続部３５Ｄの上面が、第１バスバーの上面と略同一高さとなるように形成する。これにより、スイッチングデバイス３４の端子のうち、一方を回路基板３３の導電路の接続部分へはんだ付けし、他方を第２バスバー３５の段差接続部３５Ｄへはんだ付けするようにすることができる。ここで、段差接続部３５Ｄに対してはんだ付けするスイッチングデバイス３４の端子の先端部分は、回路基板３３の導電路に対してはんだ付けする先端部分よりも下側(バスバー回路３２側)へ延びており、接続部分に段差が生じていても確実にはんだ付けが可能となっている。
また、本実施形態では回路基板３３側の収容孔３３Ａに隣接してスイッチングデバイス３４の載置孔３３Ｂが形成されている。この載置孔３３Ｂはスイッチングデバイス３４の本体底面部に形成された電極（ゲート電極）を直接バスバー回路３２に接続させるためものであり、回路基板３３においては収容孔３３Ａと連通するように形成されているものもある（図４，５参照）。
【００２３】
さらに、電源分配部１３のバスバー回路３２側には金属平板状の放熱板１９が接着剤（例えばエポキシ系接着剤）によって接着されている。この放熱板１９はサイドケース１７の外方（図３の左手前方）の壁面（全面）を構成し、放熱板１９自身が外部に露出する構成となっている。電源分配部１３はこのように構成されることで、電源分配部１３のスイッチングデバイス３４からの発熱をバスバー回路３２を介して放熱板１９に伝熱し、放熱板１９から外部へ放熱するようになっている。
【００２４】
さて、電源分配部１３に組み付けられるサイドケース１７は、断熱性を有する合成樹脂製で、電源分配部１３の外形に合わせて略方形状をなす枠体からなり（図４，７参照）、電源分配部１３の平面方向の外周縁部を全周に亘って包囲するようになっている。そして、サイドケース１７は、放熱板１９とメインケース１６の側方収容部１６Ｖとでもって電源分配部１３を被覆することで、電源分配部１３から発生した熱が周囲に放出することを規制するようになっている。
また、サイドケース１７は、電源分配部１３の正規位置へ組み付けられることにより放熱板１９の端縁のエッジ部分を全周に亘って被覆するようになっており、金属製である放熱板１９のエッジ部分が他の部材等に引っ掛かけて損傷させたりすることを規制可能となっている。
【００２５】
さらに、サイドケース１７はその１辺部（図７の上側の辺部）を肉厚にして保持部３８が設けられている。この保持部３８には挿通孔３８Ａと嵌入部３８Ｊとハウジング３６Ｃとが形成されている。
挿入孔３８Ａはヒューズ端子３１Ｈを挿通させるためのものであり、ヒューズ端子３１の板厚・幅に合わせて横長状の孔が保持部３８を貫通するように形成されている。さらに、図８に示すように、挿入孔３８Ａの電源分配部１３側の開口端縁には、外側に拡開するようにテーパ面３８Ｔが形成されており、ヒューズ端子３１Ｈを挿入する際にヒューズ端子３１Ｈが円滑に挿通孔３８Ａ内へ進入するよう案内可能となっている。尚、本実施形態では、ヒューズ端子３１Ｈは電源分配部１３の表面から垂直方向に延びた状態で挿通孔３８Ａを通過させた後、電源分配部１３の表面に対して平行な方向に屈曲されるようになっている（図６参照）。
嵌入部３８Ｊは挿通孔３８Ａの図７の下側に形成された凹部よりなる。嵌入部３８Ｊは電源分配部１３の表面に対して垂直な方向に掘削されたものであり、この嵌入部３８Ｊに分岐路部１２の先端部を嵌入させることで、電源分配部１３と分岐路部１２とが互いに垂直となるように保持可能となっている。
さらに、嵌入部３８Ｊに嵌入された分岐路部１２は、図１２に示すように、その上面を、ヒューズ端子３１Ｈの電源分配部１３の表面に対して平行に屈曲された箇所の基端部（屈曲部分）に当接させるようになっている。これにより、ヒューズＨを装着する場合に分岐路部１２の表面がヒューズ端子３１Ｈに作用する荷重を受止め、ヒューズ端子３１Ｈの変形を防止可能となっている。
また、嵌入部３８Ｊに嵌入される分岐路部１２の先端部分は、４枚の絶縁板２５のうち上から２番目と４番目のものを突出させている。これにより、分岐路部１２の先端部は、萎むように僅かに弾性変形可能となっており、嵌入部３８Ｊへの嵌入動作を円滑なものとすると共に、嵌入後は弾性復帰して抜止可能となっている。
【００２６】
ハウジング３６は全体略角筒形状をなすと共に複数のキャビティ３６Ｃを有している。ハウジング３６のキャビティ３６Ｃは、上述の接続端子３１Ｖ及び垂直外部端子３５Ｖに対応して配設されており、これらの端子がキャビティ３６Ｃ内に貫通することでオス端子をなしている。さらに、キャビティ３６内には接続端子３１Ｖ及び垂直外部端子３５Ｖと嵌合する中継端子４０が収容されると共に、電源分配部１３と分岐路部１２とが組み付けられると、キャビティ３６内には対応する分岐路部１２の水平接続部２３Ｈが進入して中継端子４０と嵌合することで、電源分配部１３と分岐路部１２との導通接続が行われるようになっている。  
【００２７】
ここで、ハウジング３６には電源分配部１３側からキャビティ３６Ｃへ貫通するように案内挿通孔３６Ｐが形成されている。この案内挿通孔３６Ｐは電源分配部１３の表面に対して垂直方向に貫通形成されていると共に、それぞれ対応する接続端子３１Ｖ及び垂直外部端子３５Ｖの端子幅及び厚みとほぼ同等がわずかに広くなるような内径で形成されている。これにより、これらの端子３１Ｖ、３５Ｖが案内挿通孔３６Ｐを通過する際には、その内壁面に当接することにより、挿入方向と垂直方向をなす方向への移動が規制された状態となる。
また、案内挿通孔３６Ｐのキャビティ３６Ｃと反対側（外側）の開口縁には外側に拡開するようにテーパ面３６Ｔが形成されており、接続端子３１Ｖ或いは垂直外部端子３５Ｖを挿入する際に案内挿通孔３６Ｐへ円滑に案内可能となっている。
【００２８】
また、ハウジング３６は内部に中継端子４０を収容し、電源分配部１３の垂直外部端子３５Ｖ又は接続端子３１Ｖと、分岐路部１２の水平接続部２３Ｈとを導通接続するようになっている（図１１参照）。
【００２９】
ここで、本実施形態において、電源分配部１３に対するサイドケース１７の組付けについて説明する。
まず、予め放熱板１９を接着した電源分配部１３に対してサイドケース１７を近付けて、ハウジング３６に各オス端子（接続端子３１Ｖ或いは垂直外部端子３５Ｖ）を挿入させる（図９参照）。
この場合、最初に接続端子３１Ｖがテーパ面３６Ｔに案内されつつ案内挿通孔３６Ｐへ進入し（図９(b)参照）、接続端子３１Ｖは案内挿通孔３６Ｐの内壁面に沿って奥方へ進む。このとき、接続端子３１Ｖは挿入方向と垂直方向をなす方向への移動が規制された状態となる。
そして、サイドケース１７を電源分配部１３に対してさらに近付けると、次に垂直外部端子３５Ｖが案内挿通孔３６Ｐに進入する（図９(c)参照）。このとき、垂直外部端子３５Ｖはテーパ面３６Ｔによって案内されて案内挿通孔３６Ｐへ進入するが、上記のように、先に接続端子３１Ｖが案内挿通孔３６Ｐに進入して位置決めがされた状態なので、より、円滑に案内挿通孔３６Ｐに侵入することができる。
【００３０】
さらに、サイドケース１７を電源分配部１３に対して近付けると、サイドケース１７内に電源分配部１３が収容されると共に、放熱板収容部３５Ｂに放熱板１９が嵌め付けられてサイドケースの組付けが完了する（図１０の左方の電源分配部１３参照）。このとき、電源分配部１３は、接続端子３１Ｖと垂直外部端子３５Ｖとが案内挿通孔３６Ｐに挿通された状態であって、挿入方向以外の方向への移動が規制された状態でサイドケース１７の正規位置に対して組付けられるようになっている。即ち、電源分配部１３に対するサイドケースへ組付けにおいて、接続端子３１Ｖと垂直外部端子３５Ｖとを先にハウジング３６に組付けることで、電源分配部１３全体を正規位置へ案内するようになっている。
【００３１】
このように本実施形態によれば、電源分配部１３に対してサイドフレーム１７を組付ける場合に、各オス端子（接続端子３１Ｖ或いは垂直外部端子３５Ｖ）をハウジング３６に挿入させることで、電源分配部１３を正規位置へ案内することができるので、電気接続箱１０の組付け性が向上する。
さらに、サイドフレーム１７に設けられた挿通孔３８Ａ及び案内挿通孔３６Ｐには、開口縁部にテーパ面３８Ｔ，３６Ｔが形成されているので、サイドフレーム１７の組付け時に電力端子３１Ｗや垂直外部端子３５Ｖを各挿通孔３８Ａ，３６Ｐへ挿入し易くなり、組付け性がより向上する。
また、ハウジング３６の組付けにおいて、接続端子３１Ｖ或いは垂直外部端子３５Ｖが案内挿通孔３６Ｐを通過する際には挿入方向に垂直な方向への移動を規制する。これにより、電源分配部１３全体も組付け時に挿入方向に垂直な方向への移動が規制されるので、電源分配部１３を正規位置に確実に案内できる。
【００３２】
さらに本実施形態では、接続端子３１Ｖ或いは垂直外部端子３５Ｖが電源分配部１３の表面に対して垂直な方向に延出されているので、接続端子３１Ｖ或いは垂直外部端子３５Ｖの嵌合時に、各端子の電源分配部１３側の基端部分に嵌合力等が作用して変形することを規制できるので、電気接続箱１０の信頼性が向上する。
また、本実施形態では、ハウジング３６に組付ける多数のオス端子を有するが、接続端子３１Ｖと垂直外部端子３５Ｖとの挿入をずらして行うことで、挿入力の分散ができる。
さらにまた、本実施形態では、比較的強固に固定されている接続端子３１を先に挿通して大まかな位置決めを行った後、垂直外部端子３５Ｖを挿通させることで、比較的強度の小さい垂直外部端子３５Ｖに過大な荷重が作用することを規制している。
【００３３】
また、本実施形態では、サイドフレーム１７が電源分配部１３と分岐路部１２とを互いに垂直に保持するので、電源分配部１３の平面方向の拡大を防いで配置スペースを効率的に使用することが可能となる。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、ハウジング３６に挿入するオス端子のうち接続端子３１Ｖと垂直外部端子３５Ｖとの挿入をずらして行う構成であったが、これらの挿入を同時に行うものであってもよく、また、オス端子の挿入順序をより多段的にずらすものであってもよい。
（２）上記実施形態では電源分配部１３と分岐路部１２との接続部が、接続端子３１Ｖ及び垂直外部端子３５Ｖと水平接続部２３Ｈ、さらにこれらを接続する中継端子４０を用いた構成のものであったが、これに限らず、電源分配部１３の端子と分岐路部１２の端子とが直接嵌合可能な構造のものであってもよい。
（３）上記実施形態では、第２バスバー３５は、電源分配部１３のスイッチングデバイス３４が実装されている側の面（実装面）に配設されているものであったが、これに限らず、例えば電源分配部１３のバスバー回路３２側に配設されているものであってもよい。
（４）上記実施形態では、電源分配部１３と分岐路部１２とが互いに垂直となるように突き合わされたものであったが、これに限らず、互いに斜めに交差するように保持される構成のものであってもよい。
（５）上記実施形態では、外装品としてヒューズＨ及びヒュージブルリンクＦを搭載するものであったが、これに限らず、例えばリレー、センサー、ＥＣＵ等であってもよい。
（６）上記実施形態では、分岐路部１２と電源分配部１３との各々の回路の電気接続を中継端子４０を介した端子嵌合により行うものであったが、例えばタブ状の端子同士を溶接（抵抗溶接、レーザー溶接等）で接続するものであってもよい。
【図面の簡単な説明】
【００３５】
【図１】電気接続箱の分解斜視図
【図２】電気接続箱の斜視図
【図３】分岐路部の構成部品を分解した状態の電気接続箱の分解斜視図
【図４】電源分配部の分解斜視図
【図５】電源分配部の斜視図
【図６】電源分配部にサイドカバーを組付けた状態の斜視図
【図７】サイドカバーの平面図
【図８】サイドカバーの保持部の断面図
【図９】電源分配部に対するサイドカバーの組付け手順を示す断面図
【図１０】電気接続箱の組付け前の断面図
【図１１】電気接続箱の断面図
【図１２】電気接続箱の部分拡大断面図
【符号の説明】
【００３６】
１０…電気接続箱
１２…分岐路部（第２回路構成体）
１３…電源分配部（回路構成体）
１７…サイドフレーム（枠体）
２１…バスバー
３１…第１バスバー（バスバー）
３１Ｖ…接続端子（接続部）
３３…制御用回路基板
３４…スイッチングデバイス
３５Ｖ…垂直外部端子（接続部）
３６…ハウジング
３６Ｐ…案内挿通孔（案内通路部）
３６Ｔ…テーパ面
３８…保持部（保持手段）
３８Ｔ…テーパ面
【図１】
2006187118.tif 000003
【図２】
2006187118.tif 000004
【図３】
2006187118.tif 000005
【図４】
2006187118.tif 000006
【図５】
2006187118.tif 000007
【図６】
2006187118.tif 000008
【図７】
2006187118.tif 000009
【図８】
2006187118.tif 000010
【図９】
2006187118.tif 000011
【図１０】
2006187118.tif 000012
【図１１】
2006187118.tif 000013
【図１２】
2006187118.tif 000014